(57)【要約】【課題】本発明はヒ−トポンプ熱源機の組立を行う際、機器内部にて冷凍サイクルと給湯サイクルのロウ付けなどの組立作業を同時に行うため、限られたスペ−スの中での作業が複雑となり組立作業性が低下していた。その課題を解消する作業性に優れたヒ−トポンプ熱源機が求められている。【解決手段】基板１１側面に固定した接続具２５を固定する固定板２４に保守用の水抜き栓２２を配置固定し、固定板２４に水熱交換器４より引き出し順次接続される機器内部の給湯サイクル部品を集約・固定し給湯サイクルブロックを一体化構成した。【選択図】図２ 
2005147620.tif 000002
【特許請求の範囲】
【請求項１】
圧縮機と空気熱交換器及び水熱交換器を具備する基板の側面に給水及び温水配管を接続する接続具を固定する固定板を連結固定し、さらに同機器の運転制御を行い駆動させる電装箱に電源供給や通信などを行う電源接続ケ−ブルを接続するタ−ミナルを固定するタ−ミナル固定部を形成した外箱側板にて機器の側面を外装し、また前記外装側面に露出した給水及び温水用配管を接続する接続具及びタ−ミナル固定部を、同機器の輸送用取っ手を形成させ、その内部に接続具の結露水などを流すトイ部が形成された保護カバ−にて一体にして覆われた周知の冷凍サイクルからなるヒ−トポンプ熱源機において、基板側面に連結固定した給水及び温水配管を接続する接続具を固定する固定板に、保守用の水抜き栓を配置したヒ−トポンプ熱源機。
【請求項２】
給水及び温水用配管を接続する接続具と、保守用の水抜き栓を配置した固定板に、接続具及びタ−ミナル固定部を覆う保護カバ−内部に設けたトイ部の隣接する位置にＬ型の折曲げ形状を形成した請求項１記載のヒ−トポンプ熱源機。
【請求項３】
給水及び温水用配管を接続する接続具と、保守用の水抜き栓を配置した固定板に形成した折曲げ形状と固定板の稜線に傾斜を設け勾配面を形成した請求項１記載ヒ−トポンプ熱源機。
【発明の詳細な説明】
【技術分野】
【０００１】
本発明は、ヒートポンプ熱源機に関するものであり、より詳しくは内蔵する水熱交換器に貯留する水を抜くためのメンテナンスのための構成に関するものである。
【背景技術】
【０００２】
従来この種のヒートポンプ熱源機は図６に示すように冷凍サイクル１と給湯サイクル２を備える。冷凍サイクル１は圧縮機３と、給湯用の水熱交換器４と熱源用の空気熱交換器５とが冷媒循環用配管９にて順次接続して構成される。また給湯サイクル２は、貯湯タンク６と水循環用配管７とを備え、この水循環用配管７には、水循環間用ポンプ８と熱交換路１０とが設置されている。この場合の熱交換経路１０は給湯用の水熱交換器４にて構成される。前記構成により、圧縮機３とポンプ８を駆動させると貯湯タンク６の底部に設けた取水口から貯留水が水循環用配管７に流出し、これが熱交換経路１０を流通する。その際貯留水は水熱交換器４によって加熱され、貯湯タンク６に戻る。これによって貯湯タンク６に高温の温湯を貯めるものである（特許文献１）。
【０００３】
図７，８に示すように機器内部は機器の底面を支持する基板１１上部を騒音防止用の遮音板１２によって区画し、一方の区画である送風回路内に周囲を発泡断熱性容器１４，１５にて覆われた水熱交換器４と空気熱交換器５及び送風ファン１３を搭載し、さらに圧縮機３を搭載したもう一方の区画には、水熱交換器４より冷媒配管接続部１６と給水及び温水配管接続部１７，１８が引き出されており、冷媒配管接続部１６は冷媒循環用配管９とロウ付けにて結合され圧縮機３と空気熱交換器５が順次接続され冷凍サイクル１を形成する。一方給湯サイクル２は給水配管接続部１７，１８が分岐管１９を介して給水用配管２０及び温水用配管２１と保守用の水抜き栓２２に結合される配管２３が結合されている。さらに給水用配管２０及び温水用配管２１は、基板１１側面に連結固定された固定板２４に固定した接続具２５に連結されている。さらに同機器の運転制御を行い駆動させる電装箱２６に電源供給や通信などを行う電源接続ケ−ブル２７を接続するタ−ミナル２８を固定するタ−ミナル固定部２９を形成した外箱側板３０にて機器の側面を外装する。また機器の外装側面に露出した接続具２５及びタ−ミナル２８を、同機器の輸送用取っ手を形成させた保護カバ−３１にて一体にして覆った構成となっている。
【０００４】
この時、保守用の水抜き栓２２は図９のように基板１１に直接固定されるか、取付金具３２に水抜き栓２２を固定し、さらに基板１１と接続具２５が固定された固定板２４に取付金具３２を固定した構造となっている。
【０００５】
さらに図１０のように、保護カバ−３１の固定板２４に固定された接続具２５の下部に露水３３を処理するトイ部３４を設け、基板１１へ排水する構造となっている。（特許文献２）
【特許文献１】特開２００３−２２２３９２号公報
【特許文献２】特開平５−１３３５６５号公報
【発明の開示】
【発明が解決しようとする課題】
【０００６】
しかしながら、上記従来の構成では、給水用配管及び温水用配管に結合される接続具と保守用の水抜き栓は機器の異なった箇所に各々固定されていることから、部品点数が増えるためコストが高騰するともに、作業工数が増大していた。
【０００７】
さらに組立時、機器内部にて冷凍サイクルと給湯サイクルのロウ付け作業は同時に行っ
ており、機器内部の限られたスペ−スでロウ付けを行うため作業性が非常に困難であった。同時に狭いスペ−スでのロウ付け作業は、ロウ付け部のロウ周り不良の要因となり冷凍サイクル内からの冷媒漏れ及び、給湯サイクル内からの水及び温水漏れが発生する課題が生じていた。
【０００８】
また、保護カバ−に設けた露水を処理するトイ部を流れる露水は、基板へ排水する際に通水経路が限定されないため、機器内部に具備される部品のに露水がかかり、局部的な部品劣化が発生する恐れがあった。
【０００９】
本発明は、前記従来の課題を解決するものであり、据付け時の露水の排水処理性を向上させると同時に、組立時の作業性及び、メンテナンス性に優れたヒートポンプ式給湯装置を提供することを目的とする。
【課題を解決するための手段】
【００１０】
前記従来の課題を解決するために本発明は、圧縮機と空気熱交換器及び水熱交換器を具備する基板の側面に給水及び温水配管を接続する接続具を固定する固定板を連結固定し、さらに同機器の運転制御を行い駆動させる電装箱に電源供給や通信などを行う電源接続ケ−ブルを接続するタ−ミナルを固定するタ−ミナル固定部を形成した外箱側板にて機器の側面を外装し、また前記外装側面に露出した給水及び温水配管を接続する接続具及びタ−ミナル固定部を、同機器の輸送用取っ手を形成させ、その内部に接続具の結露水などを流すトイ部が形成された保護カバ−にて一体にして覆われた周知の冷凍サイクルからなるヒ−トポンプ熱源機において、基板側面に連結固定した給水及び温水配管を接続する接続具を固定する固定板に、保守用の水抜き栓を配置，固定したものである。
【００１１】
また、給水及び温水用配管を接続する接続具と、保守用の水抜き栓を配置した固定板に、固定板を覆う保護カバ−に設けたトイ部の隣接する位置にＬ型の折り曲げ形状を形成したものである。
【００１２】
また、給水及び温水用配管を接続する接続具と、保守用の空気抜き及び水抜き栓を配置した固定板に形成したＬ型の折曲げ形状と固定板の稜線に傾斜を設け勾配面を形成したものである。
【００１３】
上記構成によって、据付け時の露水の排水処理性を向上させるとともに、部品点数の削減と給湯サイクルの一体構成により、組立時の作業性及びメンテナンス性向上が可能となる。
【発明の効果】
【００１４】
本発明は、据付け時の露水の排水処理性を向上させると同時に、組立時の作業性及び、メンテナンス性に優れたヒートポンプ熱源機を提供することができる。
【発明を実施するための最良の形態】
【００１５】
第１の発明は、圧縮機と空気熱交換器及び水熱交換器を具備する基板の側面に給水及び温水用配管を接続する接続具を固定する固定板を連結固定し、さらに同機器の運転制御を行い駆動させる電装箱に電源供給や通信などを行う電源接続ケ−ブルを接続するタ−ミナルを固定するタ−ミナル固定部を形成した外箱側板にて機器の側面を外装し、また前記外装側面に露出した給水及び温水用配管を接続する接続具及びタ−ミナル固定部を、同機器の輸送用取っ手を形成させ、その内部に接続具の結露水などを流すトイ部が形成された保護カバ−にて一体にして覆われた周知の冷凍サイクルからなるヒ−トポンプ熱源機において、基板側面に連結固定した給水及び温水配管を接続する接続具を固定する固定板に、保守用の水抜き栓を配置，固定することにより、水熱交換器から引き出し順次接続される機
器内全ての給湯サイクル部品が固定板に集約、接合された一体構成となることから、機器組立時の前工程にて給湯サイクルのみの組立作業が可能となり、狭い機器内でのロウ付けなどの作業が不要となり、より確実かつ容易にロウ付け作業が行える。同時に機器内には水熱交換器を含めた一体構成された給湯サイクルを配置・固定するのみとなり、作業が容易になり組立作業性の向上が図れる。
【００１６】
第２の発明は、特に第１の発明の給水及び温水用配管を接続する接続具と、保守用の水抜き栓を配置した固定板に、固定板を覆う保護カバ−内部に設けたトイ部に隣接する位置にＬ型の折曲げ形状を形成したものであり、保護カバ−内部に設けたトイ部に沿って機器内部に排水される露水を固定板に設けた折曲げ面の壁面にて排水を規制し、機器内部に具備される構成部品に露水がかからない構造とし、局部的な部品劣化を防止することができる。
【００１７】
第３の発明は、特に第１の発明の給水及び温水用配管を接続する接続具と、保守用の水抜き栓を配置した固定板に形成したＬ型の折曲げ形状と固定板の稜線に傾斜を設け勾配面を形成することにより、保護カバ−内部のトイ部に沿って基板に排水される露水は、一旦固定板のＬ型の折曲げ形状の壁面にて規制されると同時に、折曲げ形状の勾配面に沿って基板の所定の位置へ露水を確実に排水することが可能となり、据付時の排水処理性を向上させることができる。
【００１８】
以下、本発明の実施の形態について、図面を参照しながら説明する。なおこの実施の形態によって本発明が限定されるものではない。
【００１９】
（実施の形態）
図１は、本発明の実施例におけるヒ−トポンプ熱源機の正面図と側面図である。
図１において、ヒ−トポンプ熱源機の外箱前板３５と外箱側板３０等で外装され、給水及び温水用配管２０，２１に結合される接続具２５は保護カバ−３１にて覆われた構成となっている。図２は、本発明の実施例における給湯サイクル部品の構成図である。また、図３は、本発明に実施例における一体型給湯サイクルの設置斜視図である。
【００２０】
図２，３において基板１１側面に連結固定した給水及び温水用配管２０，２１を接続する接続具２５を固定する固定板２４に、保守用の水抜き栓２２を同時に配置，固定することにより、水熱交換器４から引き出し順次接続される機器内全ての給湯サイクル部品が固定板２５に集約、接合された一体構成となることから、機器組立時の前工程にて給湯サイクルのみの組立作業が行える為、狭い機器内でのロウ付けなどの作業が廃止でき、より確実かつ容易にロウ付け作業が行える。同時に機器内への設置の際は、周囲を発泡性断熱容器１４，１５に覆われた水熱交換器４を含め一体構成された給湯サイクルを設置するだけの容易な作業となり、組立作業性の向上が図れる。また接続具２５と水抜き栓２２を固定板２４に配置，固定することにより部品点数の削減が可能となり、コストの低減が図れる。
【００２１】
この際、固定板２４に固定された接続具２５は、固定板２５の形状及びサイズまた工事性に合せ、上下左右の位置を自由に調節し配置しても良い。
【００２２】
また、図４は、本発明における固定板の部品斜視図である。図５は、本発明における保護カバ−固定部の拡大斜視図である。
【００２３】
図４，５において固定板２４に保護カバ−３１に設けた露水３３排水用のトイ部３４の隣接する位置にＬ型の折曲げ形状３５を形成し、さらに折曲げ形状３５と固定板２４の稜線３６に傾斜を設け勾配面３７を形成することにより、接続具２５などから排出される露
水３３は、保護カバ−３１の内部に設けられたトイ部３４を流れ、固定板２４に形成したＬ型の折曲げ形状３５の壁面にあたり、機器内部への不特定で広範囲な拡散を抑制し、機器内部に具備された部品の局部劣化を防止することができる。さらにＬ型の折曲げ形状３５にて抑制された露水３３は、勾配面３７に沿って基板１１の所定の位置へ確実に排水することが可能となり、据付時の排水処理性を向上させることができる。
【産業上の利用可能性】
【００２４】
本発明にかかるヒ−トポンプ熱源機は、水熱交換器に接続する給湯サイクル部品を固定板に集約固定し、一体型構成にすることで組立作業性とメンテナンス性の向上が可能となるものでヒ−トポンプ熱源機の給湯サイクルならびに本体構成等の用途にも適用できる。
【図面の簡単な説明】
【００２５】
【図１】本発明の実施例におけるヒ−トポンプ熱源機の正面図と側面図
【図２】本発明の実施例における給湯サイクル部品の構成図
【図３】本発明の実施例における一体型給湯サイクルの設置斜視図
【図４】本発明の実施例における固定板の正面図と側面図
【図５】本発明の実施例における保護カバ−設置詳細拡大図
【図６】従来例におけるヒ−トポンプ熱源機の冷凍・給湯サイクル図
【図７】従来例におけるヒ−トポンプ熱源機の内部構成図
【図８】従来例における給湯サイクル部品の構成図
【図９】従来例における保守用水抜き栓の固定詳細斜視図
【図１０】従来例における保護カバ−設置詳細拡大図
【符号の説明】
【００２６】
２  給湯サイクル
４  水熱交換器
９  冷媒循環用配管
１０  水循環用配管
１１  基板
１６  冷媒配管接続部
１７  給水配管接続部
１８  温水配管接続部
１９  分岐管
２０  給水用配管
２１  温水用配管
２２  水抜き栓
２３  配管
２４  固定板
２５  接続具
２６  電装箱
２７  電源接続ケ−ブル
２８  タ−ミナル
２９  タ−ミナル固定部
３０  外箱側板
３１  保護カバ−
３２  取付金具
３３  露水
３４  トイ部
３５  折曲げ面
３６  稜線
３７  勾配面
【図１】
2005147620.tif 000003
【図２】
2005147620.tif 000004
【図３】
2005147620.tif 000005
【図４】
2005147620.tif 000006
【図５】
2005147620.tif 000007
【図６】
2005147620.tif 000008
【図７】
2005147620.tif 000009
【図８】
2005147620.tif 000010
【図９】
2005147620.tif 000011
【図１０】
2005147620.tif 000012